(57)【要約】【課題】電子ブックを裏返して使用する場合であっても、通常状態と同様の情報量、及び操作感覚を提供することが可能な表示装置を提供することにある。【解決手段】本発明の表示装置は、第一表示部と第二表示部との二つの表示部を含む表示手段を備えている。第一表示部と第二表示部とは、連結手段により開閉自在に連結されている。また、第一表示部の表示面と第二表示部の表示面とがなす角度である開閉角度の変化を検出する開閉検出手段を備えている。開閉角度が変化したことが検出されると、表示制御手段が、表示手段に表示する画像の拡大縮小率及び表示方向を変更する。これにより、複数頁の画像を一つの表示部にまとめて表示する。また前記表示禁止手段が、角速度センサを用いて複数の表示部の中で最も下方向に近い表示部を判別し、判別した表示部の画像表示を停止する。【選択図】図１
2009222951.tif 000002
【特許請求の範囲】
【請求項１】
第一表示部及び第二表示部を含む複数の表示部を備えた表示手段と、
前記第一表示部と前記第二表示部とを連結し、前記第一表示部と前記第二表示部とがなす角度である開閉角度を調整可能とした連結手段と、
前記開閉角度の変化を検出する開閉検出手段と、を備えた表示装置において、前記開閉角度が予め定められた角度を上回る角度変化が前記開閉検出手段により検出された際に、画像の拡大縮小率及び表示方向を変更して前記表示手段に表示する表示制御手段を備えたことを特徴とする表示装置。
【請求項２】
前記表示制御手段が、一又は複数の画像と頁番号とを関連付けた頁管理情報を含む書籍データを用いて頁単位で画像を前記表示手段に表示すると共に、前記開閉検出手段により前記角度変化が検出された際に前記表示手段が備える一表示部に複数頁の画像を表示することを特徴とする請求項１に記載の表示装置。
【請求項３】
前記表示制御手段が、前記開閉検出手段により前記角度変化が検出された際に、前記第一表示部及び／又は前記第二表示部に表示する画像の表示角度を９０度変更すると共に、前記画像の表示サイズを二分の一に変更することを特徴とする請求項１又は請求項２に記載の表示装置。
【請求項４】
前記開閉検出手段により前記角度変化が検出された際に、前記第一表示手段又は前記第二表示手段に対して画像表示処理を禁止する表示禁止手段を備えたことを特徴とする請求項１〜請求項３のいずれかに記載の表示装置。
【請求項５】
角速度センサを備え、前記表示禁止手段が、前記角速度センサを用いて、前記表示手段が備える複数の表示部の中で最も下方向に近い表示部を判別し、判別した前記表示部に対して画像表示処理を禁止することを特徴とする請求項４に記載の表示装置。
【請求項６】
前記第一表示部及び／又は前記第二表示部が、磁性体と、前記磁性体の磁気を検出する磁気センサと、前記磁性体の近傍且つ前記第一表示部及び／又は前記第二表示部が画像を表示する面である表示面側に設けられた防磁シートとを備え、
前記表示制御手段が、前記磁気センサにより磁気が検出された際に、前記表示手段に表示する画像の拡大縮小率及び表示方向を変更することを特徴とする請求項１〜請求項５のいずれかに記載の表示装置。
【請求項７】
前記第一表示部及び／又は前記第二表示部が、画像を表示する面と反対の面に圧力センサ及び突起部を備え、前記表示制御手段が、前記圧力センサが前記突起部に接触して加圧を検知した際に、前記表示手段に表示する画像の拡大縮小率及び表示方向を変更すること
を特徴とする請求項１〜請求項６のいずれかに記載の表示装置。
【発明の詳細な説明】
【技術分野】
【０００１】
本発明は、デジタル画像データを表示する電子書籍装置（以下、「電子ブック」という）に利用される表示装置に関するものであり、特に複数の表示部が開閉自在に設けられた表示装置に関する。
【背景技術】
【０００２】
近年、液晶パネル等を用いた薄型の表示装置が広く普及している。このような薄型表示装置は、軽量且つ設置スペースが小さいため、その設置場所や設置角度をユーザが適宜変更したり、容易に持ち運んだりできるという利点を持っている。
【０００３】
上記のような薄型表示装置の一つとして、電子ブックが実用化されている。電子ブックは、小説や雑誌等の書籍と同様のレイアウトで文字情報や画像情報を表示することにより、製本された書籍と同様の感覚で読書ができることを目的とした表示装置である。電子ブックは、例えばＳＤ（Secure Digital）メモリカードのような外部記録媒体や、ＬＡＮ（Local Area Network）等のネットワークを経由して書籍情報、例えば文字画像データや写真画像データ、レイアウトデータ等を取り込み、表示することが可能である。
【０００４】
上記に関連して特許文献１においては、書籍データ全体における表示頁の進行位置に応じて、当該表示頁の縁部に残り頁の重なり具合を示す縦縞模様を表示する電子ブックが開示されている。またこの電子ブックは、進行位置に応じた現頁数／総頁数を画面の一部に表示する。
【０００５】
また特許文献２においては、折り曲げ角度が深いときでも視認性、可読性が低下しない電子ブックが開示されている。この電子ブックは、開閉検出部から得られた電子ブックの開閉角度に応じて二つの表示画面の表示状態を変化させたり、連結部の近傍の画面領域の表示状態だけを変化させたりする。
【特許文献１】特開２００３−１５０２９８号公報
【特許文献２】特開２００６−２４３３６０号公報
【発明の開示】
【発明が解決しようとする課題】
【０００６】
特許文献１の電子ブックによれば、縦縞模様を介して書籍データ全体における進行状況を、ユーザに対して直感的且つ大まかに把握させることができる。また特許文献２の電子ブックによれば、ユーザにとって見にくい連結部の近傍の画面領域について、ユーザが見やすい表示状態に調整することができる。
【０００７】
しかしながら特許文献１及び特許文献２に開示されている電子ブックは、専用のジョグダイヤルを回したり、手首を返す動作をしたり、タッチパネルをなぞったりする等により、頁送り操作及び頁戻し操作を行っていた。しかし頁送り量は所定値であり、また一画面に表示される頁も一頁と決まっていた。従って常に電子ブックを開いた状態で使用する必要があった。
【０００８】
しかしながら電子ブックを使用する状況によっては、電子ブックを開閉するのが好ましくない状況も考えられる。例えば満員電車のように、周囲に人が多く開閉スペースを確保するのが難しい状況である。或いは、片手で何らかの作業をしながら電子ブックを見るような、片手がふさがっている状況である。
【０００９】
このような状況においては、電子ブックを裏返した状態、つまり開閉角度を略３６０度まで大きくして両表示部の背面を互いに近接させた状態で、電子ブックを閲覧するのが好ましい。しかしながらこの状態においては、電子ブックの片面しか視認することができないため、一度に取得できる情報量が減ってしまう。また、片面では奇数頁或いは偶数頁のいずれかしか表示できないため、頁送り動作を行った際に一頁先の頁ではなく二頁先の頁が表示されてしまうという問題があった。
【００１０】
本発明は、上記の問題を鑑みてなされたものであり、電子ブックを裏返して使用する場合であっても、通常状態と同様の情報量、及び操作感覚を提供することが可能な表示装置を提供することにある。
【課題を解決するための手段】
【００１１】
上記目的を達成するために本発明の表示装置は、第一表示部及び第二表示部を含む複数の表示部を備えた表示手段と、前記第一表示部と前記第二表示部とを連結し、前記第一表示部と前記第二表示部とがなす角度である開閉角度を調整可能とした連結手段と、前記開閉角度の変化を検出する開閉検出手段とを備えた表示装置において、前記開閉角度が予め定められた角度を上回る角度変化が前記開閉検出手段により検出された際に、画像の拡大縮小率及び表示方向を変更して前記表示手段に表示する表示制御手段を備えたことを特徴としている。
【００１２】
この構成によると、本発明の表示装置は、少なくとも第一表示部と第二表示部との二つの表示部を含む表示手段を備えている。第一表示部と第二表示部とは、連結手段により開閉自在に連結されている。また、第一表示部の表示面と第二表示部の表示面とがなす角度である開閉角度の変化を検出する開閉検出手段を備えている。連結手段を軸として第一表示部或いは第二表示部の開閉動作が行われると、開閉角度が変化したことを開閉検出手段が検出する。そして開閉角度が所定角度を上回って変化したことが検出された場合に、表示制御手段が、表示手段に表示する画像の拡大縮小率及び表示方向を変更する。
【００１３】
上記目的を達成するために本発明の表示装置は、前記表示制御手段が、一又は複数の画像と頁番号とを関連付けた頁管理情報を含む書籍データを用いて頁単位で画像を前記表示手段に表示すると共に、前記開閉検出手段により前記角度変化が検出された際に前記表示手段が備える一表示部に複数頁の画像を表示することを特徴としている。
【００１４】
この構成によると、本発明の表示装置は、一又は複数の画像を頁単位でまとめて表示するための頁管理情報を含む書籍データを用いた画像表示が可能である。書籍データには画像データ以外に、レイアウトデータ等の頁管理情報や、課金データ等が含まれている。書籍データは通常、頁番号順に画像を閲覧することを目的として作成されている。開閉検出手段により開閉角度が所定角度を上回って変化したことが検出されると、表示制御手段は表示画像の縮小及び表示方向変更を行うことにより、複数の頁の画像を一つの表示部にまとめて表示する。
【００１５】
上記目的を達成するために本発明の表示装置は、前記表示制御手段が、前記開閉検出手段により前記角度変化が検出された際に、前記第一表示部及び／又は前記第二表示部に表示する画像の表示角度を９０度変更すると共に、前記画像の表示サイズを二分の一に変更することを特徴としている。
【００１６】
この構成によると、表示制御手段は、開閉検出手段により所定の角度変化が検出された際に、画像の表示方向を９０度変更するとともに、表示サイズが二分の一となるように縮小処理を行う。そして回転及び縮小を行った画像を第一表示部或いは第二表示部に表示する。
【００１７】
上記目的を達成するために本発明の表示装置は、前記開閉検出手段により前記角度変化が検出された際に、前記第一表示手段又は前記第二表示手段に対して画像表示処理を禁止する表示禁止手段を備えたことを特徴としている。
【００１８】
この構成によると、開閉検出手段により所定の角度変化が検出された際に、表示禁止手段が第一表示手段又は第二表示手段に対して画像表示の禁止指示を与え、画像表示を停止させる。
【００１９】
上記目的を達成するために本発明の表示装置は、角速度センサを備え、前記表示禁止手段が、前記角速度センサを用いて、前記表示手段が備える複数の表示部の中で最も下方向に近い表示部を判別し、判別した前記表示部に対して画像表示処理を禁止することを特徴としている。
【００２０】
この構成によると、本発明の表示手段はジャイロセンサ等の角速度センサを備えている。表示禁止手段は、この角速度センサを用いて、複数の表示部の上下位置関係を判定する。そして表示部の中で最も下方向に近いと判定された表示部に対して画像表示の禁止指示を与え、画像表示を停止させる。
【００２１】
上記目的を達成するために本発明の表示装置は、前記第一表示部及び／又は前記第二表示部が、磁性体と、前記磁性体の磁気を検出する磁気センサと、前記磁性体の近傍且つ前記第一表示部及び／又は前記第二表示部が画像を表示する面である表示面側に設けられた防磁シートとを備え、前記表示制御手段が、前記磁気センサにより磁気が検出された際に、前記表示手段に表示する画像の拡大縮小率及び表示方向を変更することを特徴としている。
【００２２】
この構成によると、第一表示部又は第二表示部はその内部に磁性体を備えている。また開閉動作により第一表示部と第二表示部とが密着した際に各磁性体の磁気を検知するための磁気センサを、第一表示部又は第二表示部が備えている。さらに、第一表示部及び第二表示部における磁性体が設けられた近傍且つ表示面側に、磁性体の磁気をカットするための防磁シートが設けられている。表示制御手段は、磁気センサにより磁性体の磁気が検出された場合に、前述の拡大縮小率及び表示方向の変更処理を行う。
【００２３】
上記目的を達成するために本発明の表示装置は、前記第一表示部及び／又は前記第二表示部が、画像を表示する面と反対の面に圧力センサ及び突起部を備え、前記表示制御手段が、前記圧力センサが前記突起部に接触して加圧を検知した際に、前記表示手段に表示する画像の拡大縮小率及び表示方向を変更することを特徴としている。
【００２４】
この構成によると、第一表示部又は第二表示部はその背面に圧力センサ及び突起部を備えている。開閉動作が行われて開閉角度が３６０度に近づくと、突起部が圧力センサに接触して加圧が検知される。表示制御手段は、圧力センサによりこの加圧を検知した際に、前述の拡大縮小率及び表示方向の変更処理を行う。
【発明の効果】
【００２５】
本発明によれば、開閉角度が所定角度を上回って変化したことが検出された場合に、表示手段に表示する画像の拡大縮小率及び表示方向を変更する。このため、表示角度が１８０度を超える等により、ユーザが複数の表示部を同時に視認できない状態になった場合でも、通常は複数の表示部を用いて表示している画像を一表示部だけ表示可能である。従って例えば、表示部の背面を互いに近接させるように折り畳んだ状態において、複数表示部による表示と同じだけの情報を一度に閲覧可能である。このため、混雑した電車等のように、表示装置の使用スペースが限られる状況で有利である。また、片手で持ちながらの閲覧が行い易いという利点がある。
【００２６】
また本発明によれば、開閉角度が所定角度を上回って変化したことが検出されると、表示制御手段は表示画像の縮小及び表示方向変更を行うことにより、複数の頁を一つの表示部にまとめて表示する。これにより、表示部が一つであっても、二つの表示部を用いた頁見開き状態に近い感覚で各頁の閲覧を行うことができる。また、通常時と同様の感覚で頁変更を行うことが可能である。
【００２７】
また本発明によれば、所定の角度変化が検出された際に、画像の表示方向を９０度変更するとともに、表示サイズが二分の一となるように縮小処理を行う。これにより、通常は一頁分の表示しか行ない表示領域に対して、二頁分の表示を行うことが可能である。
【００２８】
また本発明によれば、所定の角度変化が検出された際に、第一表示手段又は第二表示手段に対して画像表示の禁止指示を与え、画像表示を停止させる。このため、ユーザが一方の表示部のみを視認している状態において、視認していないもう一方の表示部で無駄な表示を行わないことにより、消費電力を抑えることができる。
【００２９】
また本発明によれば、角速度センサを用いて、複数の表示部の上下位置関係を判定する。そして表示部の中で最も下方向に近い表示部の画像表示を停止させる。このため、ユーザが視認しない下方向の表示部の表示停止を自動的に行うことができる。また、ユーザが表示装置の上下向きを変えた場合に、表示を行う表示部を自動的に切り替えることができるため、利便性が向上する。
【００３０】
また本発明によれば、磁性体及び磁気センサを用いて、表示部の背面が互いに近接して折り畳まれた状態になったことを検出する。そしてこの検出が行われた際に、画像の拡大縮小率及び表示方向変更処理を行う。このため、表示装置が折り畳まれたことを容易且つ確実に検知することができる。また、磁性体が設けられた近傍の表示面側に防磁シートが設けられているため、表示部の表示面同士が近接する状態、いわゆる閉状態において磁気を検知することがなく、誤処理を防止することができる。
【００３１】
また本発明によれば、第一表示部、第二表示部の背面設けられた圧力センサ及び突起部を用いて、表示部の背面が互いに近接して折り畳まれた状態なったことを検出する。そしてこの検出が行われた際に、画像の拡大縮小率及び表示方向変更処理を行う。このため、表示装置が折り畳まれたことを容易且つ確実に検知することができる。
【発明を実施するための最良の形態】
【００３２】
以下に本発明の実施形態を、図面を参照しながら説明する。なお、ここで示す実施形態は一例であり、本発明はここに示す実施形態に限定されるものではない。
【００３３】
［実施の形態１］
〈１−１．内部構成について〉
図２は、本発明の第一の実施形態に係る電子ブック１（＝表示装置）の内部構成示すブロック図である。電子ブック１は少なくとも、制御部１１、フラッシュメモリ１２、操作部１３、ＬＣＤ（Liquid Crystal Display）１４（＝表示手段）、通信Ｉ／Ｆ（Interface）部１５、通信制御部１６、電源部１７、メモリスロット１８、データ入力部１９、センサ部２０、及び非接触型ＩＣ（Integrated Circuit）２１を含むように構成されている。なお、ＬＣＤ１４は右側ＬＣＤ１４ａ（＝第一表示部の構成要素）と左側ＬＣＤ１４ｂ（＝第二表示部の構成要素）との二つのＬＤＣを含むように構成されている。またメモリスロット１８に対して外部記録媒体であるメモリカード９０を着脱可能である。
【００３４】
制御部１１は、電子ブック１における画像表示処理を実施するため、各装置を制御する。これにより、フラッシュメモリ１２に記録されている書籍データや、外部より入力した書籍データの表示処理等を統括制御する。制御部１１は、例えば複数のマイクロプロセッサから構成されている。また制御部１１は、各装置（例えばセンサ部２０等）の制御やデータの計算、加工処理等を行う中枢部分となっている。なお、制御部１１が備える各機能部（図１に示す画像処理部１１ａ〜表示禁止部１１ｅ）の詳細については後述する。
【００３５】
フラッシュメモリ１２は、電子ブック１が保持する各種データを一時的に記録する記録媒体である。フラッシュメモリ１２は、例えば制御部１１によって各種情報処理が行われる際の処理データや、ＬＣＤ１４に表示するための書籍データ、音声メッセージ或いは文字メッセージを出力するためのメッセージデータ、電話番号やメールアドレス等の個人データ等を記録する役割を持つ。
【００３６】
操作部１３は、ユーザが電子ブック１に対して、画像の切り替え指示や書籍データの取得指示等の各種指示を行うためのものである。操作部１３により入力された指示は制御部１１により受け付けられ、指示の内容に基づいて各種制御処理が行われる。操作部１３は例えば、複数の操作ボタンやスイッチ等から構成される。或いは、ＬＣＤ１４がタッチパネル機能を備えている場合は、ＬＣＤ１４を介して操作指示を受け付けることも可能である。
【００３７】
ＬＣＤ１４は、フラッシュメモリ１２等に記録されている書籍データに基づき、文字画像や写真画像を表示する。或いは、ユーザによる接触を検知するタッチパネル機能を備えている形態であってもよい。これにより、表示画面上の所定領域への接触を検知することにより、その領域に関連付けられた処理、例えば頁送り処理等の実行指示を受け付けることが可能である。またＬＣＤ１４は、その内部に電子ペーパーを備えることにより、電源停止後も画像が表示された状態を維持することも可能である。
【００３８】
ここでＬＣＤ１４の構造の一例を、図３の外観図を用いて説明する。図３は、電子ブック１の前面に備えられた各装置部の一例を示した外観図である。図３に示すように電子ブック１は、右本体部３１ａ（＝第一表示部の構成要素）、左本体部３１ｂ（＝第二表示部の構成要素）、及び開閉軸部３２（＝連結手段）を含むように構成されている。右本体部３１ａは右側ＬＣＤ１４ａ、磁石２１（＝磁性体）、及び防磁シート４１を、左本体部３１ｂは左側ＬＣＤ１４ｂ、メモリスロット１８、及び磁気センサ２０ａを、開閉軸部３２は角度検出センサ２０ｂ（＝開閉検出手段）を備えている。
【００３９】
図３に示すように、右本体部３１ａ及び左本体部３１ｂは開閉軸部３２により開閉可能に連結されている。これにより、右側ＬＣＤ１４ａの表面部と左側ＬＣＤ１４ｂの表面部とが、図中の破線に示す開閉角度Δｔをなすようになっている。
【００４０】
開閉角度Δｔの可動範囲は開閉軸部３２の構造によって適宜変更可能である。本実施形態では、電子ブック１が閉状態になった場合に略０度、つまり右本体部３１ａの前面（＝表示面）と左本体部３１ｂの前面とが接触する構造とする。また開状態になった場合に略３６０度、つまり右本体部３１ａの背面と左本体部３１ｂの背面とが接触する構造とする。
【００４１】
通信Ｉ／Ｆ部１５は、電子ブック１を通信ネットワークと接続するための物理的なインタフェースである。通信Ｉ／Ｆ部１５は例えば、ＩＥＥＥ８０２．３規格に準拠した有線ＬＡＮに接続するためのＬＡＮケーブルコネクタや、ＩＥＥＥ８０２．１１規格に準拠した無線ＬＡＮに接続するための無線アンテナ等を含むように構成されている。なお、電話通信網に接続するためのアナログ接続端子やＩＳＤＮ通信網に接続するためのＩＳＤＮ接続端子を備える形態であってもよい。
【００４２】
通信制御部１６は、通信Ｉ／Ｆ部１５により接続された外部装置、例えば書籍データ配信サーバ等と相互通信を行うための通信制御を行う。これにより、外部装置より書籍データを購入して、フラッシュメモリ１２やＳＤメモリカード９０等の記録媒体に記録することにより、ユーザは好きなときに閲覧できるようになる。また通信Ｉ／Ｆ部１５が無線アンテナを備える場合、無線通信網を介する無線通信の制御を行う役割も持つ。
【００４３】
電源部１７は、乾電池、二次電池、或いは電子ブック１の表面に設けられた太陽電池(不図示）等から電力の供給を受け、電子ブック１の各部に対して電源電圧を与える。乾電池や二次電池より電力供給を受ける場合、電源部１７は電池スロット（不図示）を備え、これにより乾電池や二次電池と接続して電力供給を受ける。なお二次電池としては例えば、充電式アルカリ電池やリチウムイオンバッテリ等を用いることが可能である。
【００４４】
メモリスロット１８は、ＳＤメモリカード９０等の外部記録媒体を接続して情報の伝送を行うインタフェースである。ＳＤメモリカード９０には例えば、ユーザが購入した書籍データや、デジタルカメラで撮影した画像データ等が記録されている。メモリスロット１８は制御部１１からの指示により、これらのデータをフラッシュメモリ１２にコピーする。これにより、外部から入力した書籍データや画像データをＬＣＤ１４を用いて表示することができる。
【００４５】
データ入力部１９は、外部の書籍データ配信装置や画像記録装置等を有線或いは無線により接続して各種データの入力を行うための入力インタフェースである。データ入力部１９は例えば、シリアルケーブル接続用ソケットや、赤外線通信を行うためのＩｒＤＡポート（不図示）、或いはＵＳＢ接続端子（不図示）等を含むように構成されている。
【００４６】
センサ部２０は、図３に示す電子ブック１の右本体部３１ａ及び左本体部３１ｂが開閉軸部３２を軸として開閉するのを検知するとともに、開閉方向及び開閉角度Δｔ等を検出するための各種センサを備えている。
【００４７】
センサ部２０は例えば、磁性体の磁気を検知する磁気センサ２０ａと、また、開閉軸部３２内部のヒンジ部に対して所定の電圧を印加し、発生電流を測定することにより開閉角度Δｔを判定する角度検出センサ２０ｂとを備えている。図３の例では、左本体部３１ｂの正面左上の内部に磁気センサ２０ａが設けられている。
【００４８】
上記に対して右本体部３１ａの正面右上には磁石２１が設けられている。磁石２１は右本体部３１ａの内部に埋め込まれており、磁石２１の近傍且つ右本体部３１ａの前面（＝右側ＬＣＤ１４ａが存在する表示面）には、防磁シート４１が設けられている。逆に図４に示すように、右本体部３１ａの背面には防磁シート４１が設けられていない。
【００４９】
図３の状態から開動作、つまり開閉軸部３２を軸として右側ＬＣＤ１４ａの背面部と左側ＬＣＤ１４ｂの背面部とが近接する方向へ移動すると、図５に示すように、右本体部３１ａの背面と左本体部３１ｂの背面とが接触した状態、或いは接触はせずとも相互距離が所定値以下となった状態（以下、「裏返し状態」という）となる。裏返し状態においては、磁気センサ２０ａと磁石２１とが接近し、且つ防磁シート４１による防磁作用を受けないため、磁気センサ２０ａが磁力を検知する。
【００５０】
逆に図３の状態から閉動作、つまり開閉軸部３２を軸として右本体部３１ａの前面と左本体部３１ｂの前面とが近接する方向へ移動すると、磁気センサ２０ａは磁石２１に接近するが、防磁シート４１が存在するため磁力を検知しない。これにより、閉状態になった場合に、裏返し状態になったと誤検知するのを防止することができる。なお、磁気センサ２０ａ、磁性体２１、及び防磁シート４１の設置位置及び設置数は上記の例に限定されるものではなく、本発明の主旨を逸脱しない範囲において適宜変更可能である。
【００５１】
角度検出センサ２０ｂは例えば、ロータリタイプの検出スイッチを用いる。開閉軸部３２内部のヒンジ部が備える角度検出部材（不図示）が回転し、回転に伴って角度検出部材の可動接点が回転し、所定の角度で固定端子と接触する。これにより電流がＯＮ／ＯＦＦすることで、回転角度を検出することができる。
【００５２】
非接触型ＩＣ２１は、データの記録や演算をするための集積回路であり、本実施形態においてはユーザの個人データの記録や、書籍データを購入する際に使用される電子マネーの決算、課金情報の管理に用いられる。
〈１−２．機能部の構成について〉
ここで、本発明の第一の実施形態に係る電子ブック１の表示制御処理を実施するための各機能部の関係を、図１の機能ブロック図を用いながら説明する。
【００５３】
図１に示すように本発明の表示制御処理は少なくとも、制御部１１が備える画像処理部１１ａ（＝表示制御手段の構成要素）、開閉検出部１１ｂ（＝開閉検出手段）、表示方向判定部１１ｃ（＝表示制御手段の構成要素）、表示サイズ変更部１１ｄ（＝表示制御手段の構成要素）、及び表示禁止部１１ｅ（＝表示禁止手段）と、フラッシュメモリ１２と、ＬＣＤ１４と、センサ部２０とにより実現される。
【００５４】
画像処理部１１ａは、他の機能部からの指示を受けて、ＬＣＤ１４に画像を表示するための画像信号を生成する。具体的には、指示の種別に基づいて表示する画像を判別し、判別した画像の画像データをフラッシュメモリ１２から読み出す。例えば書籍データ名と表示頁番号を受けて、その頁を表示するための画像データを判別する。そして画像データのデコード処理を行って画像信号に変換しＬＣＤ１４に与えることにより、各種画像の表示を行う。なお、ここで言う画像とは、書籍データに含まれる各種書籍画像の他に、デジカメで撮影した画像や、各種操作パネル等を表示するための画像も含む。
【００５５】
開閉検出部１１ｂは、開閉状態が変化したことを検出するためのものである。開閉検出部１１ｂは、右本体部３１ａ及び左本体部３１ｂが開閉軸部３２を軸として動かされたことを、磁気センサ２０ａ及び角度検出センサ２０ｂを用いて検知する。そして磁気センサ２０ａから送られてくる磁気検知結果や、角度検出センサ２０ｂから送られてくる開閉角度Δｔに基づき、電子ブック１が裏返し状態になったかどうかを判定する。具体的には例えば、開閉角度Δｔが所定値を超えた場合や、磁気センサ２０ａにより磁気が検知された場合に、裏返し状態になったと判定する。裏返し状態になったと判定された場合、判定結果を次の表示方向判定部１１ｃ〜表示禁止部１１ｅに与える。
【００５６】
表示方向判定部１１ｃは、開閉検出部１１ｂにより裏返し状態への変化が検知された際に、ＬＣＤ１４に表示する画像の向きを左右いずれかに９０度回転して表示するように画像処理部１１ａへ指示する。この結果、縦書きレイアウトと横書きレイアウトとの変更が行われる。例えば図３及び図５に示す例では、図３が通常の開閉状態を、図５が裏返し状態を示している。図３においては、縦書きレイアウトの文字画像が縦方向に表示されている。これに対して図５においては、表示方向判定部１１ｃにより右方向へ９０度回転が行われたため、縦書きレイアウトの文字画像が横方向に表示されている。
【００５７】
しかし図５の状態は縦書き／横書きのレイアウトと表示方向とが一致しないため、ユーザに読みづらさを感じさせる。このためユーザは、図６に示すように電子ブック１の向きを左へ略９０度回転させる。これにより、図３の場合と同様、縦書きレイアウトの文字画像を縦方向表示で閲覧することが可能となる。
【００５８】
表示サイズ変更部１１ｄは、開閉検出部１１ｂにより裏返し状態への変化が検知された際に、ＬＣＤ１４に表示する画像の拡大縮小率の変更、例えば二分の一への縮小等を行うように画像処理部１１ａへ指示する。例えば図３においては、一頁分の文字画像が通常サイズで表示されている。これに対して図５においては、表示サイズ変更部１１ｄにより表示サイズ変更が行われたため、文字画像が二分の一のサイズとなっている。この結果、左側ＬＣＤ１４ｂが領域α及び領域βに二分割され、計二頁分の文字画像が表示されている。
【００５９】
表示禁止部１１ｅは、開閉検出部１１ｂにより裏返し状態への変化が検知された際に、右側ＬＣＤ１４ａ及び左側ＬＣＤ１４ｂのいずれかに対して表示停止指示を与える。これにより、裏返し状態においてユーザが視認できないＬＣＤ、例えば図５の例では右側ＬＣＤ１４ａの電源が停止される。なお、どちらのＬＣＤを非表示とするかは、予めユーザ設定により決定されて、フラッシュメモリ１２の設定情報に記録されていることが望ましい。
〈１−３．表示制御処理について〉
ここで、本発明の第一の実施形態に係る電子ブック１の表示制御処理を、図１及び図２のブロック図と、図３〜図６の外観図と、図７のフロー図とを用いながら説明する。
【００６０】
図７は、本発明に係る表示制御処理の処理フローを示したフローチャートである。本処理は、電子ブック１の電源が起動している状態において、任意のタイミングで開始することが可能である。
【００６１】
本処理の開始後、開閉検出部１１ｂはステップＳ１１０において、右本体部３１ａ或いは左本体部３１ｂの開閉動作を角度検出センサ２０ｂにより検知したかどうかの判定を行う。動きを検知していない場合、再びステップＳ１１０に移行する。動きを検知した場合、開閉検出部１１ｂはステップＳ１２０において、磁気センサ２０ａによる磁気検知を行う。
【００６２】
上記検知結果に基づき、ステップＳ１３０において処理分岐を行う。磁気を検知した場合、表示方向判定部１１ｃはステップＳ１５０において、裏返し状態での画像表示方向を判定し、表示方向変更指示を画像処理部１１ａへ与える。また画像サイズ変更部１１ｄがステップＳ１６０において、裏返し状態での画像表示比率を判定し、拡大縮小率変更指示を画像処理部１１ａへ与える。
【００６３】
画像処理部１１ａはステップＳ１７０において、上記二つの指示に従い、ＬＣＤ１４に表示する画像のレイアウト変更及び拡大縮小率変更を行う。この結果、図５に示す表示状態となる。次に表示禁止部１１ｅはステップＳ１８０において、ＬＣＤ１４に対して片側の表示停止指示、例えば図５の例では右側ＬＣＤ１４ａの表示停止指示を与える。ステップＳ１８０の実行後、再びステップＳ１１０に移行し、本体部の動きの監視を継続して行う。
【００６４】
説明をステップＳ１３０の分岐に戻って行うと、ステップＳ１３０において磁気を検知しなかった場合、開閉検出部１１ｂはステップＳ１４０において、角度検出センサ２０ｂにより検出されている開閉角度Δｔが所定値、例えば３５０度を超えるかどうかの判定を行う。所定値を超える場合は、ステップＳ１５０に移行する。所定値を超えない場合、開閉検出部１１ｂはステップＳ１４５において、通常の開閉状態へ移行したことを表示方向判定部１１ｃ〜表示禁止部１１ｅへ通知する。
【００６５】
この通知を受けた各機能部は、通常の表示状態への復帰処理を行う。具体的機には、表示方向判定部１１ｃによる表示方向変更処理、表示サイズ変更部１１ｄによる縮小処理、及び表示禁止部１１ｅによる非表示処理を停止し、図３に示すように二つのＬＥＤを用いた画像表示状態へ移行する。ステップＳ１４５の実行後、再びステップＳ１１０に移行し、本体部の動きの監視を継続して行う。
【００６６】
以上に説明した本実施形態によれば、電子ブック１の開閉状態が変化し、且つ裏返し状態となった場合に、右側ＬＣＤ１４ａ或いは左側ＬＣＤ１４ｂのいずれか一方に書籍データの二頁分を表示する。また、表示面とは反対面のＬＣＤを表示停止する。このため、ユーザは片側のみを用いて二頁分の画像を閲覧できるため、裏返し状態であっても見開き状態と同じ感覚で書籍データの閲覧をすることができる。また、ユーザが視認しない反対側の表示部の表示を停止するため、省電力を図ることができる。
【００６７】
［実施の形態２］
〈２−１．内部構成について〉
ここで、本発明の第二の実施形態に係る電子ブック１の内部構成を説明する。本実施形態に係る電子ブック１の内部構成の概要は、実施の形態１の図２と同内容であるが、一部の部材の構成が異なる。
【００６８】
本実施形態のセンサ部２０は、外部からの加圧を検知する圧力センサ２０ｃと、角速度センサ２０ｄを備えている。図８は、本実施形態に係る電子ブック１の背面の一例を示した外観図である。図８の例では、右本体部３１ａの背面左下に圧力センサ２０ｃが、右本体部３１ａの背面中央付近に角速度センサ２０ｄが設けられている。また、左本体部３１ｂの背面右下に突起部２２が設けられている。
【００６９】
圧力センサ２０ｃは、突起部２２に接触することにより、加圧を検知して開閉検出部１１ｂに通知する。この通知を受けた開閉検出部１１ｂは、電子ブック１が裏返し状態となったと判定する。
【００７０】
角速度センサ２０ｄは、ユーザが電子ブック１を持ち上げた場合における下方向に位置する本体部を判定する。判定結果は表示禁止部１１ｅに与えられ、下方向の本体部に含まれるＬＣＤの表示が禁止される。これにより、ユーザによる電子ブック１の持ち方により、画像を表示するＬＣＤを自動的に切り替えることができる。
〈２−２．機能部の構成について〉
実施の形態１と同様であるため、説明を省略する。
〈２−３．表示制御処理について〉
ここで、本発明の第二の実施形態に係る電子ブック１の表示制御処理を、図８の外観図と、図９のフロー図とを用いながら説明する。なお、実施の形態１の図７と同内容の処理については、同じステップ番号を付加することにより説明を省略するものとする。
【００７１】
ステップＳ１１０において本体部の動きを検知した場合、開閉検出部１１ｂはステップＳ１２５において、圧力センサ２０ｃによる圧力検知を行う。上記検知結果に基づき、ステップＳ１３５において処理分岐を行う。
【００７２】
圧力センサ２０ｃが突起部２２による加圧を検知した場合、ステップＳ１５０及びステップＳ１６０を実施する。そして表示方向判定部１１ｃがステップＳ１６５において、角速度センサ２０ｄを用いて、右本体部３１ａと左本体部３１ｂとの上下関係を検知し、いずれが下方向に位置するかを判定する。例えば図６に示す例では、ユーザから見て裏側に存在する右本体部３１ａが、下方向に位置すると判定される。
【００７３】
画像処理部１１ａはステップＳ１７５において、Ｓ１５０〜ステップＳ１６５の判定結果に基づき、ＬＣＤ１４に表示する画像のレイアウト変更及び拡大縮小処理を行い、上方向に位置するＬＣＤ１４、例えば図６では左側ＬＣＤ１４ｂへ表示を行う。次に表示禁止部１１ｅはステップＳ１８５において、ステップＳ１６５の結果に基づき、下方向に位置するＬＣＤ１４に対して表示停止指示、例えば図６では右側ＬＣＤ１４ａへの表示停止指示を与える。ステップＳ１８５の実行後、再びステップＳ１１０に移行し、本体部の動きの監視を継続して行う。
【００７４】
以上に説明した本実施形態によれば、圧力センサ２０ｃ及び突起部２２を用いて容易且つ確実に裏返し状態となったことを検知できる。また、角速度センサ２０ｄにより、表示を行うＬＣＤ１４と表示を行わないＬＣＤ１４とを判別するため、ユーザが視認している側のＬＣＤ１４のみで表示を行うように自動的に表示切り替えを行うことが可能である。
［その他の実施の形態］
以上、好ましい実施の形態及び実施例を挙げて本発明を説明したが、本発明は必ずしも上記実施の形態に限定されるものではなく、その技術的思想の範囲内において様々に変形して実施することができる。
【００７５】
従って本発明は、以下の形態にも適用可能である。
【００７６】
（Ａ）本実施形態では書籍データを用いた画像表示時の画像変更処理、つまり頁単位での画像変更処理を例に説明しているが、通常の画像データを用いた画像表示処理において実施することも可能である。これにより例えば、複数の画像をファイル名順にスライドショー表示する場合において、裏返し動作を検知すると、表示画像の縮小及び方向変換をして複数の画像を一つの表示部に表示する。これにより、書籍データを閲覧しているのと同じ感覚で、手軽に複数の画像を閲覧することができる。
【００７７】
（Ｂ）本実施形態では、電子ブック１の開閉状態を検知するセンサ２０として、磁気センサ２０ａ〜角速度センサ２０ｄを例に挙げているが、これら以外のセンサにより開閉状態及び電子ブック１の裏返しを検知する形態であってもよい。例えば、右本体部３１ａ及び左本体部３１ｂの背面に照度センサを備え、この照度センサにより検知される照度が所定値を下回ることにより、裏返し状態になったと判定する形態であってもよい。
【００７８】
（Ｃ）本実施形態では、電子ブック１が裏返し状態になった場合に表示方向及び画像サイズの変更を行っているが、これらの変更を実施せず、一回の頁送り動作による頁送り量のみを変更する形態でもよい。例えば通常時は一回の頁送り動作で二頁分の頁送りを行う、つまり奇数頁或いは偶数頁のいずれかのみを表示するところを、裏返し状態では一回の頁送り動作で一頁分の頁送り動作を実施する。これにより、ＬＣＤ１４の片方だけを用いた場合であっても、奇数頁と偶数頁との両方を閲覧することができる。なおこの際、もう一方のＬＣＤ１４は、表示禁止部１１ｅにより表示を停止することが望ましい。
【００７９】
（Ｄ）本実施形態では、ＬＣＤ１４における表示制御処理に関わる各種機能部が、マイクロプロセッサ等の演算処理装置上でプログラムを実行することにより実現されているが、各種機能部が複数の回路により実現される形態でもよい。
【００８０】
（Ｅ）本実施形態では、開閉動作検知による表示制御処理を実施する表示装置として電子ブック１を例として説明しているが、複数の表示手段と開閉機構とを備えた表示装置であれば、これ以外の装置において本発明を用いる形態でもよい。例えば、ＰＤＡ、携帯電話、ノートパソコン、カーナビ、ポータブルテレビ等において用いる形態であってもよい。
【図面の簡単な説明】
【００８１】
【図１】は、第一実施形態の表示装置が備える機能部の構成を示す機能ブロック図である。
【図２】は、第一実施形態の表示装置の内部構成を示すブロック図である。
【図３】は、第一実施形態の表示装置の前面を示す外観図である。
【図４】は、第一実施形態の表示装置の背面を示す外観図である。
【図５】は、第一実施形態の表示制御の裏返し状態を示す外観図である。
【図６】は、第一実施形態の表示制御の裏返し状態を示す外観図である。
【図７】は、第一実施形態の表示制御処理の処理フローを示すフロー図である。
【図８】は、第二実施形態の表示装置の背面を示す外観図である。
【図９】は、第二実施形態の表示制御処理の処理フローを示すフロー図である。
【符号の説明】
【００８２】
１      電子ブック（表示装置）
１１    制御部
１１ａ  画像処理部（表示制御手段）
１１ｂ  開閉検出部（開閉検出手段）
１１ｃ  表示方向判定部（表示制御手段）
１１ｄ  表示サイズ変更部（表示制御手段）
１１ｅ  表示禁止部（表示禁止手段）
１４    ＬＣＤ（表示手段）
１４ａ  右側ＬＣＤ（第一表示部）
１４ｂ  左側ＬＣＤ（第二表示部）
２０    センサ部（開閉検出手段）
２０ａ  磁気センサ
２０ｂ  角度検出センサ
２０ｃ  圧力センサ
２０ｄ  角速度センサ
２１    磁石（磁性体）
２２    突起部
３１ａ  右本体部（第一表示部）
３１ｂ  左本体部（第二表示部）
３２    開閉軸部（連結手段）
４１    防磁シート
【図１】
2009222951.tif 000003
【図２】
2009222951.tif 000004
【図３】
2009222951.tif 000005
【図４】
2009222951.tif 000006
【図５】
2009222951.tif 000007
【図６】
2009222951.tif 000008
【図７】
2009222951.tif 000009
【図８】
2009222951.tif 000010
【図９】
2009222951.tif 000011